(57)【要約】【課題】印刷物に総ページ数を付加しようとする際に、メモリ容量の大容量化を図らない場合は、ユーザに煩雑な作業を強いる総ページ数の手入力が必要となってしまう。【解決手段】ＡＤＦ３によって搬送される原稿の読取りを行うスキャナ２と、ＡＤＦ３内を搬送された原稿枚数を計数する計数手段と、画像データを印刷するプリンタ４と、を備える複合機に適用する総ページ数印刷プログラム１００の処理に、ＡＤＦ３による原稿給送の一回目に、スキャナ２による画像読取りを行うことなしに、ＡＤＦ３にセットされた原稿束２４の総ページ数を計数する計数工程と、ＡＤＦによる原稿給送の二回目に、ＡＤＦ３に再セットされた原稿束２４をスキャナ２により読取りつつ、総ページ数を含むページ情報を、読取り画像のコピーに付加して、記録紙上に印刷するページ情報付コピー工程の処理を備えた。【選択図】図４
2005181609.tif 000002
【特許請求の範囲】
【請求項１】
ＡＤＦ（自動原稿給送装置）によって搬送される原稿の読取りを行う画像読取手段と、
ＡＤＦ内を搬送された原稿枚数を計数する計数手段と、
画像データを印刷する画像形成手段と、
を備える画像形成装置の印刷方法であって、
ＡＤＦによる原稿給送の一回目に、前記画像読取手段による画像読取りを行うことなしに、ＡＤＦにセットされた原稿束の総ページ数を計数する計数工程と、
ＡＤＦによる原稿給送の二回目に、ＡＤＦに再セットされた原稿を前記画像読取手段により読取りつつ、総ページ数を含むページ情報を、読取り画像のコピーに付加して、記録紙上に印刷するページ情報付コピー工程と、
を備える、ことを特徴とする画像形成装置の印刷方法。
【請求項２】
前記計数工程において、原稿の一部の試験用ページの画像読取りを行うと共に、
該計数工程と同時もしくはそれ以降で前記ページ情報付コピー工程の前に、
総ページ数を含むページ情報を、前記試験用ページの読取り画像のコピーに付加して、記録紙上に印刷する試験印刷工程と、
試験印刷工程で作成された印刷物上での前記ページ情報の付加状態の適否をユーザに確認させるための報知を行う報知工程と、
を備える、ことを特徴とする請求項１に記載の画像形成装置の印刷方法。
【請求項３】
前記ページ情報付コピー工程内に、
ページ情報付コピー工程の実行を中断して、作成された印刷物上での前記ページ情報の付加状態の適否をユーザに確認させるための報知を行う報知工程と、
ページ情報付コピー工程の実行継続もしくは再実行の入力指令を待機する待機工程と、
を備える、ことを特徴とする請求項１に記載の画像形成装置の印刷方法。
【請求項４】
ＡＤＦ（自動原稿給送装置）によって搬送される原稿の読取りを行う画像読取手段と、
ＡＤＦ内を搬送された原稿枚数を計数する計数手段と、
画像データを印刷する画像形成手段と、
を備える画像形成装置であって、
ＡＤＦによる原稿給送の一回目に、前記画像読取手段による読取りを行うことなしに、ＡＤＦに再セットされた原稿束の総ページ数を計数するように計数手段を制御すると共に、
ＡＤＦによる原稿給送の二回目に、ＡＤＦにセットされた原稿を前記画像読取手段により読取りつつ、総ページ数を含むページ情報を、読取り画像のコピーに付加して、記録紙上に印刷するように前記画像読取装置および前記画像形成手段を制御する、
制御手段を備える、ことを特徴とする画像形成装置。
【発明の詳細な説明】
【技術分野】
【０００１】
本発明は、ＡＤＦ（自動原稿給送装置）によって搬送される原稿の読取りを行う画像読取手段と、画像データを印刷する画像形成手段と、を備える画像形成装置の技術に関する。
【背景技術】
【０００２】
近年、コピー機、コピー・ファクシミリ複合機等の画像形成装置には、印刷物にページ番号を付加印刷する機能が備えられている。
このようなページ付け機能として、ページ数のみを印刷する単なるページ付けモードの他に、総ページ数をも付加して印刷するモード（以下、総ページ数印刷モード）が存在する。この総ページ数は、例えば、「該当ページ／総ページ数」といった形態で付加される。
総ページ数印刷モードにおいては、画像形成装置側で、コピーやファクシミリ送信における読取り原稿の総ページ数を、カウントすることになる。手入力で、総ページ数を、画像形成装置に入力することも、もちろん可能であるが、ユーザに煩雑な作業を強いることになる。
このような自動のカウントは、ＡＤＦ（自動原稿給送装置）等における計数機能を利用して行うことが可能である。したがって、ＡＤＦを利用した原稿読取り時に、原稿枚数を計数しながら原稿画像の読み取りを行うことで、全ての原稿の読取りが終了した時点で、総ページ数が明らかとなる。そして、すべての原稿の読取りが終了した後に、総ページ数をも付加されたページ付けが行われるものとなる。
【０００３】
ところが、総ページ数印刷モードにおいては、読取り原稿を画像メモリに蓄積していき、一旦全ページの蓄積が終了した後に、画像の印刷が開始される。したがって、途中で、メモリオーバーが発生しないようにするためには、画像メモリを大容量にしておく必要がある。
このような不具合を防止する技術として、特許文献１に開示される技術が有る。該技術においては、メモリオーバーが発生しそうな場合は、総ページ数の手入力を促す画面を表示して、ユーザに総ページ数（または残りのページ数）を入力させて、画像メモリに読取り原稿の全ページを記憶させることなく、総ページ数印刷モードでの印刷を可能としている。
【０００４】
【特許文献１】特開平９−２１４６４３号公報
【発明の開示】
【発明が解決しようとする課題】
【０００５】
前記特許文献１に開示される技術では、総ページ数印刷モードにおいて、読取り原稿の枚数が、画像メモリの容量を越える場合には、総ページ数の手入力により、メモリオーバーを回避するものとしている。
したがって、結局、総ページ数もしくは残ページをユーザがカウントするという煩雑な作業を、ユーザに強いることになってしまう。
【０００６】
つまり、解決しようとする問題点は、印刷物に総ページ数を付加しようとする際に、メモリ容量の大容量化を図らない場合は、ユーザに煩雑な作業を強いる総ページ数の手入力が必要となってしまう点である。
【課題を解決するための手段】
【０００７】
本発明の解決しようとする課題は以上の如くであり、次にこの課題を解決するための手段を説明する。
【０００８】
即ち、請求項１においては、
ＡＤＦ（自動原稿給送装置）によって搬送される原稿の読取りを行う画像読取手段と、
ＡＤＦ内を搬送された原稿枚数を計数する計数手段と、
画像データを印刷する画像形成手段と、
を備える画像形成装置の印刷方法であって、
ＡＤＦによる原稿給送の一回目に、前記画像読取手段による画像読取りを行うことなしに、ＡＤＦにセットされた原稿束の総ページ数を計数する計数工程と、
ＡＤＦによる原稿給送の二回目に、ＡＤＦに再セットされた原稿を前記画像読取手段により読取りつつ、総ページ数を含むページ情報を、読取り画像のコピーに付加して、記録紙上に印刷するページ情報付コピー工程と、
を備えるものである。
【０００９】
請求項２においては、
前記計数工程において、原稿の一部の試験用ページの画像読取りを行うと共に、
該計数工程と同時もしくはそれ以降で前記ページ情報付コピー工程の前に、
総ページ数を含むページ情報を、前記試験用ページの読取り画像のコピーに付加して、記録紙上に印刷する試験印刷工程と、
試験印刷工程で作成された印刷物上での前記ページ情報の付加状態の適否をユーザに確認させるための報知を行う報知工程と、
を備えるものである。
【００１０】
請求項３においては、
前記ページ情報付コピー工程内に、
ページ情報付コピー工程の実行を中断して、作成された印刷物上での前記ページ情報の付加状態の適否をユーザに確認させるための報知を行う報知工程と、
ページ情報付コピー工程の実行継続もしくは再実行の入力指令を待機する待機工程と、
を備えるものである。
【００１１】
請求項４においては、
ＡＤＦ（自動原稿給送装置）によって搬送される原稿の読取りを行う画像読取手段と、
ＡＤＦ内を搬送された原稿枚数を計数する計数手段と、
画像データを印刷する画像形成手段と、
を備える画像形成装置であって、
ＡＤＦによる原稿給送の一回目に、前記画像読取手段による読取りを行うことなしに、ＡＤＦに再セットされた原稿束の総ページ数を計数するように計数手段を制御すると共に、
ＡＤＦによる原稿給送の二回目に、ＡＤＦにセットされた原稿を前記画像読取手段により読取りつつ、総ページ数を含むページ情報を、読取り画像のコピーに付加して、記録紙上に印刷するように前記画像読取装置および前記画像形成手段を制御する、
制御手段を備えるものである。
【発明の効果】
【００１２】
本発明の効果として、以下に示すような効果を奏する。
【００１３】
請求項１においては、ＡＤＦによる原稿枚数の計数と、画像読取手段での原稿読み取りとが、独立した処理として実行される。
したがって、ページ情報付コピーを作成する際に、画像メモリでメモリオーバーが発生することがない。加えて、原稿枚数の計数は、ＡＤＦにおいて自動的に行われるので、ユーザが原稿枚数を計数する必要がなく、ユーザは煩雑な作業を強いられることがない。
【００１４】
請求項２においては、ページ情報付コピーにおけるページ情報の付加状態が、複数原稿のコピーが実際に行われる際に、ユーザにより確認可能な状態とされる。
したがって、複数枚数のミスコピーを未然に防止することが出来る。
【００１５】
請求項３においては、ページ情報付コピーにおけるページ情報の付加状態が、複数原稿のコピーが実行中に、ユーザにより確認可能な状態とされる。
したがって、複数枚数のミスコピーを未然に防止することが出来る。
【００１６】
請求項４においては、ＡＤＦによる原稿枚数の計数と、画像読取手段での原稿読み取りとが、独立した処理として実行される。
したがって、ページ情報付コピーを作成する際に、画像メモリでメモリオーバーが発生することがない。加えて、原稿枚数の計数は、ＡＤＦにおいて自動的に行われるので、ユーザが原稿枚数を計数する必要がなく、ユーザは煩雑な作業を強いられることがない。
【発明を実施するための最良の形態】
【００１７】
本発明の画像形成装置の一実施の形態である複合機１と、本発明の印刷方法の二つの実施の形態である総ページ数印刷プログラム１００・２００とについて、図面を用いて説明する。
複合機１は、コピー機能とファクシミリ機能とを有する装置であり、コピー機能は、画像読取手段（スキャナ）と画像形成手段（プリンタ）とにより実現されている。
この複合機１には、以下で説明する総ページ数印刷プログラム１００・２００が適用されている。
【００１８】
まず、図１を用いて、複合機１の構成を説明する。
複合機１には、大別して次の各手段が設けられている。
画像読取りに関わる手段、画像形成に関わる手段、ファクシミリ送信に関わる手段、操作入力に関わる手段、表示出力に関わる手段、複合機１の各部（各手段）の制御に関わる手段、である。また、これらの各手段は、バス１１を介して接続されている。
【００１９】
画像読取りに関わる手段として、画像読取手段本体であるスキャナ２と、スキャナ２への原稿供給手段であるＡＤＦ（自動原稿給送装置）３とが、複合機１に備えられている。
スキャナ２およびＡＤＦ３により、シートフィードタイプスキャナが構成されている。
【００２０】
画像形成に関わる手段として、画像形成手段本体であるプリンタ４と、記録紙の供給手段である給紙カセット５とが、複合機１に備えられている。
プリンタ４は、画像データの記録紙上への印刷出力が可能である。
【００２１】
ファクシミリ送信に関わる手段として、電話回線との回線接続制御部であるＮＣＵ６、送受信手段であるモデム７、が備えられている。複合機１と、ＮＣＵ６で接続を許可された送受信先との間で、ファクシミリ送信が可能である。
また、インターネットＦＡＸに関わる手段として、ＬＡＮインターフェイス８が備えられている。複合機１は、ＬＡＮインターフェイス８を経由する通信線を介して、複合機１外部のネットワーク機器であるサーバー９やクライアントＰＣ１０等に接続される。
【００２２】
操作入力手段として、キー操作部１２が複合機１に設けられている。ユーザは、キー操作部１２上に設けられている各種キーを操作して、複合機１の操作が可能である。
【００２３】
表示出力手段として、表示ディスプレイ１３が複合機１に設けられている。ユーザは、複合機１の処理内容に応じて、表示ディスプレイ１３上に出力される画像表示を確認可能である。
【００２４】
イメージデータの記憶手段として、画像メモリ１４が複合機１に設けられている。
画像メモリ１４には、スキャナ２で読取られた画像データや、ファクシミリ通信（またはインターネットＦＡＸ通信）により受信した画像データが、蓄積される。
前記プリンタ４は、画像メモリ１４に記憶されている画像データを、記録紙上へ印刷出力する。
【００２５】
複合機１の各部（各手段）の制御に関わる手段として、制御手段本体であるＭＰＵ１５、ＲＯＭ（読出し専用メモリ）１６、ＲＡＭ（一時記憶メモリ）１７が備えられている。
ＲＯＭ１６内には、複合機１の各部（各手段）の制御プログラム等が記憶されており、該制御プログラムに基づいて、ＭＰＵ１５が複合機１の各部（各手段）の作動を制御する。ＲＡＭ１７には、制御プログラムの実行に伴って得られたデータ等が、一時的に記憶される。
【００２６】
また、バス１１には、コーデック（符号復号化器）２５が接続されており、該コーデック２５により、形式の異なるデータ変換やデータ圧縮／解凍処理が行われる。
例えば、ファクシミリ送信により受信したデータの変換や、画像メモリ１４へ蓄積する画像データの圧縮処理、圧縮された画像データの解凍処理などが、コーデック２５で行われる。
【００２７】
本発明は、シートフィードタイプスキャナを備える画像形成装置において、（コピー画像の）印刷物に総ページ数を付加する技術に関するものである。
特に、シートフィードタイプスキャナに備えるＡＤＦを用いて、二回の原稿給送を行う点に、本発明の特徴がある。第一回目の原稿給送では、画像読取りを行うことなしに、セットされた原稿束の総ページ数を計数する。また、二回目の原稿給送では、原稿画像を読取りつつ、ページ情報（総ページ数を含む）を付加した印刷物を作成する。
つまり、ＡＤＦにより、原稿枚数の計数を主目的とする原稿給送が、コピー用の読取りを主目的とする原稿給送に先立って行われて、合計二回の原稿給送が行われるものである。
【００２８】
本実施の形態では、複合機１の制御モードを、総ページ数印刷モードに移行させることで、総ページ数を含むページ情報が付加された印刷物の作成が行われるものとしている。
ＭＰＵ１５は、この「総ページ数印刷モード」の制御下で、「計数工程」の処理と、「ページ情報付コピー工程」の処理とを、実行する。「計数工程」では、総ページ数の計数に関わる処理が実行される。また、「ページ情報付コピー工程」では、読取った原稿画像にページ情報を付加して印刷物を作成する処理が実行される。
したがって以下では、まず、「計数工程」に関わる構成を説明し、次いで、「ページ情報付コピー工程」に関わる構成について説明する。そして、その後に、この一連の流れをフロー図を用いて説明するものとする。
【００２９】
図２を用いて、ＡＤＦ３の構成を説明する。
ＡＤＦ３内には、略Ｕ字状の原稿搬送路２０が、ガイド部材により囲われた溝状の空間として形成されており、該原稿搬送路１８に沿って、複数の搬送ローラが設けられている。そして、これらの搬送ローラや、後述のピックアップローラ２３等により、原稿給送機構３３が構成されている。
原稿搬送路２０の始端部には、該原稿搬送路２０へ原稿を供給する給紙トレイ１８が設けられ、原稿搬送路２０の終端部には、該原稿搬送路２０から排出される原稿を受ける排紙トレイ１９が設けられている。
以下において、ＡＤＦ３の給紙トレイ１８に原稿束２４（もしくは一枚の原稿２４ａ）が載置された状態を、「ＡＤＦ３に原稿がセットされた状態」とする。
【００３０】
給紙トレイ１８には、ＡＤＦ３にセットされた原稿束２４（もしくは一枚の原稿２４ａ）の有無を検出するためのセット有無検出センサ２８が設けられている。
セット有無検出センサ２８は、接触式センサとして構成され、その検出部２８ａがセットされた原稿束２４の先端に接触するように設けられている。
【００３１】
また、原稿搬送路２０の始端部には、給紙トレイ１８上の原稿束２４上面に接触するピックアップローラ２３が揺動自在に設けられている。そして、該ピックアップローラ２３が原稿束２４の最上位置の原稿２４ａに接触した状態で回動されると、原稿束２４より最上位置の原稿２４ａが原稿搬送路２０内へと繰り出される。つまり、ピックアップローラ２３により、原稿束２４より原稿２４ａが一枚ずつ繰り出されて、原稿搬送路２０内へと供給される。
【００３２】
原稿搬送路２０上には、スキャナ２による原稿読取り位置Ｐが設けられている。
本実施の形態では、原稿搬送路２０の最下位置が、原稿読取り位置Ｐとして設定されると共に、その下方のスキャナ２内部には、イメージセンサであるＣＣＤ（光電変換素子）２１が配置されている。ＣＣＤ２１は、光源からの光照射を受けた原稿の反射光を、光電変換により、電子データとして出力する。
そして、原稿読取り位置Ｐにある原稿の一ラインが、ＣＣＤ２１を介してスキャナ２に読取られ、原稿搬送路２０に沿った原稿の搬送に伴って、原稿の全面がスキャナ２により読取られることになる。
【００３３】
図１に示すように、スキャナ２には、前記ＣＣＤ２１や前記光源等の光学系装置３４に加えて、画像データ補正回路２７が設けられている。
画像データ補正回路２７において、ＣＣＤ２１で光電変換されて読取られた原稿画像情報が、Ａ／Ｄ（アナログ・デジタル）変換や、シェーディング補正等の補正を受ける。そして、スキャナ２より、原稿画像情報としての画像データが出力される。
スキャナ２より出力される画像データは、コーデック２５において圧縮処理を受けて、符号化データに変換された後、画像メモリ１４に記憶される。
【００３４】
次に、図１、図２を用いて、ＡＤＦ３内を搬送された原稿枚数を計数する計数手段を説明する。
この計数手段は、ＡＤＦ３に備える原稿検出センサ２２（図２に図示）と、複合機１の制御機構（前記制御に関わる手段）（図１に図示）と、から構成されている。
【００３５】
原稿検出センサ２２は、原稿搬送路２０上の原稿の有無を検出する手段である。
この原稿検出センサ２２には、検出対象物との接触もしくは検出対象物の接近に基づいて、検出信号を出力する接触式センサが適用されている。特に、本実施の形態では、原稿検出センサ２２は、原稿搬送路２０を挟んで、発光素子２２ａと受光素子２２ｂとが対向配置された遮断型光センサ（接触式センサの一つ）として構成されている。
遮断型光センサとした原稿検出センサ２２では、発光素子２２ａと受光素子２２ｂとの間に光路が形成されている。そして、この光路が、原稿搬送路２０上を通過する原稿２４ａにより遮断されると原稿の通過が検出されるものとしている。
原稿検出センサ２２から出力される信号は、例えば、検出をＯＮ、非検出をＯＦＦとする二値化されたＯＮ／ＯＦＦ信号である。原稿検出センサ２２での原稿の検出中、つまり、前記光路の遮断中は、常にＯＮ信号が出力されるものである。したがって、このＯＮ信号の出力時間を計測することで、搬送方向での原稿長さを検出することも可能である。
【００３６】
ＡＤＦ３においては、前述したように、セットされた原稿束２４より原稿２４ａが、重なることなく一枚ずつ繰り出されて、原稿搬送路２０に供給される。
したがって、原稿検出センサ２２からの出力が、ＯＦＦ信号からＯＮ信号に切換わる度に、原稿搬送路２０に新たな原稿２４ａが供給された、と判定することが出来る。
【００３７】
計数手段に関わる複合機１の制御機構としては、ＭＰＵ１５と、ＲＯＭ１６に記憶される計数プログラム２６と、がある。つまり、原稿枚数の計数手段は、原稿検出センサ２２、ＭＰＵ１５、計数プログラム２６からなるものである。
ＭＰＵ１５は、計数プログラム２６に基づき、原稿検出センサ２２からの出力信号の切換わりの度毎に、原稿枚数の計数を一つ増加させる。この計数値Ｃは、ＲＡＭ１７に保持される。
【００３８】
ＡＤＦ３にセットされた原稿束２４の原稿枚数の計数は、ＭＰＵ１５の処理が、「計数工程」に移行した場合において行われるものである。
ここで、前記セット有無検出センサ２８により、「セット原稿有り」が検出されると、前記計数値が「０」にリセットされる。
また、ＡＤＦ３の作動により、最後の一枚の原稿２４ａが繰り出されて、前記セット有無検出センサ２８により、「セット原稿無し」が検出されると、前記計数値Ｃは、総ページ数値Ｔとして、ＲＡＭ１７に保持される。
【００３９】
次に、図１を用いて、プリンタ４を説明する。
プリンタ４は電子写真式プリンタで構成されており、電子写真プロセスを実行する印刷ユニット２９が備えられている。印刷ユニット２９は、画像データを、ＬＥＤアレイもしくはレーザスキャナにより光像に変換し、電子写真プロセスに基づいて印刷物を作成する。
また、プリンタ４には、印刷ユニット２９の入力側に、画像データ処理回路３０が、設けられている。画像データ処理回路３０には、印刷対象となる画像の符号化データが、画像メモリ１４より取り出されてコーデック２５で解凍処理を受けて、画像データに変換された後、入力される。この画像データは、画像データ処理回路３０において、印刷倍率変更処理、画像合成処理等の処理を受けた後、印刷ユニット２９へと出力される。
【００４０】
前記印刷倍率変更処理とは、プリンタ４で印刷出力される印刷画像の大きさを、スキャナ２等で取り込んだ際の原稿画像の大きさに対して、拡大・縮小、もしくは等倍とするための処理である。
具体的には、画像データ処理回路３０において、スキャナ２の入力解像度とプリンタ４の出力解像度とに応じて、設定された倍率に対応するように、入力された画像データのデータ量が変更される処理が行われるものである。
なお、印刷倍率や、スキャナ２の入力解像度（画像を読取る際の解像度）の変更（設定入力）は、キー操作部１２の操作により可能である。
【００４１】
前記画像合成処理とは、画像データと画像データとを合成して、合成画像データを作成する処理を意味する。画像データとしては、スキャナ２で取り込まれる画像情報に基づく画像データや、テキストコード情報に基づく画像データ等がある。
特に、本発明に関わる合成処理としては、コピー用の画像データ（スキャナ２で取り込まれた画像データ）に、ページ情報（ページ情報に対応するテキストコード情報）の画像データを、合成する処理が相当する。
【００４２】
前記ページ情報としては、ＡＤＦ３で現在搬送されている原稿２４ａが、原稿束２４の中で、どの位置に該当するかを示す該当ページ数の情報と、原稿束２４の総ページ数の情報と、がある。該当ページ数は前述の原稿枚数の計数値Ｃと同値であり、総ページ数は前述の総ページ数値Ｔと同値である。
ページ情報は、例えば、「該当ページ数／総ページ数」の形式で、コピー用の画像データに付与されて、前記合成画像データが作成される。また、ページ情報として、単に、該当ページ数のみを、コピー用の画像データに付与して、合成画像データを作成するものとしても良い。
また、コピー用の画像データに付与するページ情報の設定（内容変更）は、キー操作部１２の操作により可能である。例えば、ユーザは、コピー用の画像データに付与するページ情報として、「該当ページ数／総ページ数」を選択してもよく、「該当ページ数」を選択してもよい。
【００４３】
ここで、コピー用の画像データにページ情報を付加する際に必要な条件を設定する付加要件設定手段を説明する。該付加要件設定手段は、ＭＰＵ１５と、ＲＯＭ１６に記憶される付加要件設定プログラム３１と、から構成されている。
前記付加に際して必要な条件として、コピー画像（コピー用の画像データ）に、ページ数画像（ページ情報の画像データ）を印刷する印刷位置の特定と、ページ数画像の大きさ・デザインの特定と、がある。ページ数画像の大きさ・デザインは、ページ情報を画像表示する際に適用するテキストコードのフォントの種類やフォントサイズにより変化する。
つまり、付加要件設定手段において、コピー画像（コピー用の画像データ）に対するページ数画像の印刷位置の設定と、ページ数表示に適用するフォントの設定（選択）と、フォントサイズの設定とが、行われる。さらに、付加要件設定手段において、「該当ページ数」の表示文字と「総ページ数」の表示文字との間隔設定や、「該当ページ数」と「総ページ数」との関係を示す表現形式（「１／５」や「５分の１」）等の設定を、設定可能としてもよい。
これらの付加要件の設定は、キー操作部１２の操作により、付加要件設定手段で設定されるものである。
【００４４】
前記ページ数画像の印刷位置の設定においては、デフォルトの印刷位置が、付加要件設定プログラム３１により設定されている。例えば、コピー画像（記録紙上）の中央下である。コピー画像の中央下以外にも、コピー画像の右下、中央上等、複数の印刷位置が所定の印刷位置として設けられており、キー操作部１２の操作により、付加要件設定プログラム３１による印刷位置の設定を変更することが可能である。
また、ページ数画像の印刷位置を、キー操作部１２の操作により、記録紙面上の座標で指定して、付加要件設定プログラム３１に印刷位置を設定させることも可能である。例えば、Ａ４記録紙において、記録紙上端の下１０ｍｍかつ記録紙左端の右９０ｍｍといった具合である。
【００４５】
前記フォントの設定やフォントサイズの設定においても、デフォルトのフォントおよびフォントサイズが、付加要件設定プログラム３１により設定されている。
また、フォントの設定やフォントサイズの設定を、キー操作部１２の操作により、別のフォントに変更したり、フォントサイズを変更したりすることも可能である。
【００４６】
以上のようにして、コピー画像にページ情報を付加して作成された合成画像を印刷した際に、ページ数画像の印刷位置やフォントサイズ等が不適切なため、コピー画像にページ数画像が重なって、ページ情報の判別が出来ない場合がある。
【００４７】
図３には、コピー画像にページ情報を付加して作成された印刷物の一例を示している。図３の印刷物の例では、記録紙３５上で、コピー画像部分３６と、ページ画像部分３７とが、重なってしまって、付加状態が不良な状態である。
なお、図３のページ画像部分３７は、ページ情報が、「該当ページ／総ページ数」といった形態で付加された例である。
【００４８】
このような不具合を防止するため、後述の「試験印刷工程」では、複数原稿（原稿束２４）のコピーにページ情報が付加された印刷物を作成する際に、試験的に一部のページ（第一ページ）を印刷する処理を行い、その次の「報知工程」で、印刷物上でのページ情報の付加状態の適否をユーザに確認させるものとしている。
ここで、印刷物上でのページ情報の付加状態とは、印刷物（合成画像）上に、ページ数画像が付加された状態を指すものであり、ページ画像の印刷位置や、ページ数表示に適用するフォントやフォントサイズ等の付加要件の設定によって、決定される状態のことである。
【００４９】
「報知工程」で、ページ情報の付加状態の適否をユーザに確認させる報知手段を説明する。
該報知手段は、表示出力手段である表示ディスプレイ１３と、ＭＰＵ１５と、ＲＯＭ１６に記憶される報知プログラム３２と、から構成されている。
詳しくは後述するが、「試験印刷工程」において、試験的に印刷されたページ情報付印刷物がプリンタ４より出力されると、報知プログラム３２に従って、ＭＰＵ１５は、表示ディスプレイ１３上に、ページ情報の付加状態の適否を問合せる内容の表示を出力させる。
この問合せ内容の文言は、具体的には、例えば、「ページ数の印刷位置は適切でしょうか？」といったものである。
【００５０】
次に、「総ページ数印刷モード」を説明する。
前述したように、複合機１においては、その制御モードが「総ページ数印刷モード」に移行された状態で、総ページ数を含むページ情報が付加された印刷物の作成が行われる。
この「総ページ数印刷モード」の制御下では、ＭＰＵ１５は、総ページ数印刷プログラム１００または総ページ数印刷プログラム２００に基づいて、各種処理を実行する。総ページ数印刷プログラム１００・２００は、ＲＯＭ１６に記憶されている。
総ページ数印刷プログラム１００では、時系列で順に、「計数工程」、「ページ情報付コピー工程」に関わる処理が実行され、特に、「計数工程」と並行して「試験印刷工程」、「報知工程」が実行される。
総ページ数印刷プログラム２００では、時系列で順に、「計数工程」、「ページ情報付コピー工程」に関わる処理が実行され、特に、「ページ情報付コピー工程」と並行して「報知工程」、「待機工程」が実行される。
また、前記の計数プログラム２６、付加要件設定プログラム３１、報知プログラム３２は、総ページ数印刷プログラム１００・２００のサブルーチンとして機能する。
【００５１】
図４を用いて、総ページ数印刷プログラム１００のフローを説明する。
ユーザは、ページ情報の付加されたコピーを作成するための原稿束２４（もしくは原稿２４ａ一枚）を、ＡＤＦ３にセットする（ステップ１０１）。
ＡＤＦ３への原稿束２４のセットの有無は、前記セット有無検出センサ２８により、ＭＰＵ１５で検出される。
そして、原稿束２４のセットがＭＰＵ１５で検出されると、ＭＰＵ１５は、コピーにページ情報を付加した印刷物を作成するか否かを、ユーザに問合せる（ステップ１０２）。
この問合せは、具体的には、ＭＰＵ１５が表示ディスプレイ１３上に、「ページ情報を付加しますか？」等の問合せの文言を表示させることにより、行われる。
【００５２】
ステップ１０２での問合せに対して、肯定（ページ情報の付加を実行）の回答がキー操作部１２の操作により入力された場合は、ＭＰＵ１５の処理がステップ１０３へ進む。また、否定（ページ情報の付加を行わない）がキー操作部１２の操作により入力された場合は、ＭＰＵ１５の処理がステップ１０４に進む。
否定の場合のステップ１０４は、原稿画像をそのままコピー画像として印刷してコピーを作成する通常のコピー処理である。これに対して、肯定の場合のステップ１０３以降の処理は、コピー画像にページ情報の付加された合成画像の印刷が実行される処理である。
【００５３】
ステップ１０３では、印刷フォーマットの設定が行われる。
ＭＰＵ１５による実際の処理としては、まず、ＭＰＵ１５が表示ディスプレイ１３上に、各種の設定入力の問合せの文言を表示させて、ユーザからの設定入力の待機状態に移行する。
ここで、各種の設定とは、大別して次の三つの処理に分類される。
第一には、Ａ４・Ｂ５等の記録紙サイズの選定や印刷倍率指定等の通常のコピー処理に関わる設定である。
第二には、コピー用の画像データにページ情報を付加する際に必要な条件（ページ情報の付加要件）の設定である。
第三には、印刷確認の有無設定である。
ここで、ページ情報の付加要件の設定と、印刷確認の有無設定とは、通常のコピーモードではなく、「総ページ数印刷モード」に特有の設定である。なお、通常のコピー処理に関わる設定は、詳述しないがステップ１０４にも含まれている。
【００５４】
ページ情報の付加要件には、前述したように、ページ数画像（ページ情報の画像データ）を印刷する印刷位置の特定と、ページ数画像の大きさ・デザインの特定と、がある。
また、印刷確認とは、前述したように、ページ情報の付与された合成画像の印刷物を試験的に一部のページで印刷を実施して、ページ情報の付加状態の適否をユーザに確認させることである。つまり、印刷確認の有無設定により、「試験印刷工程」（詳しくは後述）の実施の有無が、設定される。
【００５５】
そして、前記各種の設定がユーザのキー操作部１２の操作により入力されて、前記設定入力の終了をＭＰＵ１５が検出すると、ＭＰＵ１５の処理がステップ１０５に移行する。
【００５６】
ステップ１０５では、ステップ１０３における印刷確認の有無設定で、印刷確認の実行が設定されたか否かが、ＭＰＵ１５で検出される。
否定（印刷確認の不実行）の設定が検出された場合は、ステップ１０７へとＭＰＵ１５の処理が進み、肯定（印刷確認の実行）の設定が検出された場合は、ステップ１０６へＭＰＵ１５の処理が進む。
【００５７】
ステップ１０６では、ステップ１０１でセットされた原稿束２４の総ページ数を、ユーザが把握しているか否かを問合せる処理が、ＭＰＵ１５で実行される。
このステップ１０６の処理は、言い換えると、コピー画像に付与される総ページ数（ページ情報）を、ユーザが手入力で設定するか、複合機１で自動設定するか、を決定するための情報を、複合機１がユーザに要求する処理である。
具体的には、ＭＰＵ１５はまず、表示ディスプレイ１３上に、ユーザが総ページ数を把握しているか否かを問合せる文言を表示させる。この文言表示は、肯定か否定かの回答をユーザに要求するものである。次いで、その表示内容に対する回答がキー操作部１２を介して入力されるが、肯定の回答が入力されたことをＭＰＵ１５が検出すると、ＭＰＵ１５の処理がステップ１０８へ進む。また、否定の回答が入力されたことをＭＰＵ１５が検出すると、ＭＰＵ１５の処理がステップ１０９へ進む。
【００５８】
ステップ１０８では、総ページ数の手入力が行われる。
ＭＰＵ１５による実際の処理としては、まず、ＭＰＵ１５が表示ディスプレイ１３上に、総ページ数の入力を要求する文言を表示させると共に、ＭＰＵ１５自体がユーザからの総ページ数入力の待機状態に移行する。
そして、総ページ数が、ユーザのキー操作部１２の操作により入力されて、その入力の終了をＭＰＵ１５が検出すると、ＭＰＵ１５の処理がステップ１１０に移行する。
【００５９】
ステップ１１０と、それに続くステップ１１１とでは、「試験印刷工程」に関わる処理が実行される。
この試験印刷工程では、ページ情報付コピーにおけるページ情報の付加状態をユーザに確認させるための試験用のページ情報付コピーを作成する。つまり、試験的に一枚のページを読取って、ページ情報付コピーが一枚だけ印刷されるものである。本実施の形態では、試験用の読取り対象となる原稿２４ａは、原稿束２４の最上の一枚、つまり第一ページの原稿としている。
【００６０】
特に、ステップ１１０においては、ＭＰＵ１５がＡＤＦ３およびスキャナ２を制御して、ＡＤＦ３により給送された第一ページの原稿を、スキャナ２で読取らせる処理が実行される。
【００６１】
また、ステップ１１１においては、ＭＰＵ１５が、プリンタ４および給紙カセット５を制御して、読取られた第一ページの原稿データにページ情報を付加した合成画像データを作成させると共に、その合成画像を記録紙上に印刷させる。ここで作成された印刷物が、ページ情報付コピーのサンプルとされる。
【００６２】
一方、ステップ１０６で否定の場合はステップ１０９に進むが、このステップ１０９では、「計数工程」に関わる処理が実行される。
具体的には、ＡＤＦ３による原稿給送を利用して、原稿束２４のページ数の計数が実行される。
ここで、ＭＰＵ１５による実際の処理としては、まず、ＭＰＵ１５が原稿給送機構３３に、セットされた原稿束２４から順次原稿２４ａを繰り出して給送するように指令する。この原稿給送に応じて、原稿２４ａが原稿検出センサ２２で検出される度に、ＭＰＵ１５は、前記計数プログラム２６に基づいて、原稿枚数の計数を一つ増加させる。この計数値Ｃは、各原稿２４ａのページ数に相当する。そして、（セットされた原稿束２４の中での）最後の原稿２４ａの計数が終了すると、その原稿束２４の総ページ数値Ｔが検出される。
【００６３】
また、ステップ１０９と、後のステップ１１２・１１１とにおいても、「試験印刷工程」に関わる処理が実行される。
この試験印刷工程では、ページ情報付コピーにおけるページ情報の付加状態をユーザに確認させるための試験用のページ情報付コピーを作成する。つまり、試験的に一枚のページを読取って、ページ情報付コピーが一枚だけ印刷されるものである。本実施の形態では、試験用の読取り対象となる原稿２４ａは、原稿束２４の最上の一枚、つまり第一ページの原稿としている。
つまり、ＭＰＵ１５がＡＤＦ３およびスキャナ２を制御して、ＡＤＦ３による原稿給送に連動して、一部の原稿（第一ページの原稿）で原稿画像の読取りを行わせる。
【００６４】
次いで、ステップ１１２では、ステップ１０９で検出された原稿束２４の総ページ数値Ｔが、コピー画像に付与される総ページ数（ページ情報）として、設定され、ＭＰＵ１５の処理がステップ１１１へと進む。
【００６５】
ステップ１１１では、ＭＰＵ１５は、プリンタ４および給紙カセット５を制御して、読取られた原稿データにページ情報を付加した合成画像データを作成させると共に、その合成画像を記録紙上に印刷させる。
ここで、合成画像データの作成は、ステップ１０３（もしくは後述のステップ１１５）で設定されたページ情報の付加要件に基づいて、行われる。
【００６６】
ステップ１１３では、「報知工程」に関わる処理が実行される。
「報知工程」は、「試験印刷工程」で作成されたページ情報の付加状態の適否をユーザに確認させるために、ユーザに報知を行う工程である。「試験印刷工程」の処理には、ステップ１１０・１１１の一連処理もしくは、ステップ１０９・１１２・１１１の一連処理が相当する。
ＭＰＵ１５による実際の処理としては、ＭＰＵ１５が、報知プログラム３２に従って、報知手段としての表示ディスプレイ１３上に、ページ情報の付加状態の適否を問合せる内容の表示を出力させるものである。この文言の一例としては、前述したように、「ページ数の印刷位置は適切でしょうか？」等である。
そして、ステップ１１３の処理が終了すると、ＭＰＵ１５の処理はステップ１１４に移行する。
【００６７】
なお、本実施の形態では、報知手段として、表示出力手段である表示ディスプレイ１３としているが、ユーザに確認を要求するための報知手段としては、音声出力手段であってもよい。報知手段を音声出力手段とした場合は、例えば、試験用のページ情報付コピーが作成された際に、警告音が出力させる構成としても、ページ数の印刷位置は適切でしょうか？」等の音声ガイダンスが出力させるものとしてもよい。
【００６８】
ステップ１１４では、試験用のページ情報付コピー（サンプル）の適否が、ユーザに確認される。
ＭＰＵ１５による実際の処理としては、ＭＰＵ１５が、まず、ユーザからの前記適否に関する操作入力の待機状態に移行する。ここで、ユーザ側に要求される操作入力としては、肯定（適当である）、もしくは否定（不適当である）の二択の選択入力である。そして、肯定の回答がキー操作部１２より入力されると、ＭＰＵ１５の処理がステップ１１６へと進み、否定の回答がキー操作部１２より入力されると、ＭＰＵ１５の処理がステップ１１５へと進む。
【００６９】
ステップ１１５では、印刷フォーマットの再設定が行われる。
ＭＰＵ１５による実際の処理としては、まず、ＭＰＵ１５が表示ディスプレイ１３上に、各種の設定入力の問合せの文言を表示させて、ユーザからの設定入力の待機状態に移行する。
この印刷フォーマットの再設定は、ユーザが、サンプルとしてのページ情報付コピーを見て、不具合のある場合に行われるものであり、その不具合が改善されるように適切な設定変更が行われることを目的としている。
ユーザは、ページ情報の付加要件の設定を変更したり（ページ情報の印刷位置の変更等）、通常のコピー処理に関わる設定を変更する（原稿画像の印刷倍率の縮小等）ことで、ページ情報付コピーにおけるページ数情報の付加状態を改善する。
【００７０】
ステップ１１５の設定入力が終了すると、ステップ１１１に戻り、再びサンプルプリントを行う。
そして、ステップ１１４で肯定（適当である）の回答（操作入力）が得られるまで、ＭＰＵ１５は、ステップ１１１・１１３・１１４・１１５の処理を繰り返し実行する。
そして、ステップ１１４で肯定（適当である）の回答（操作入力）が得られると、ステップ１１６に進む。
【００７１】
ステップ１１６では、原稿束２４の再セットが行われる。
ＭＰＵ１５による実際の処理としては、まず、ＭＰＵ１５が表示ディスプレイ１３上に、原稿をＡＤＦ３に再セットするように要求する文言を表示させると共に、ＭＰＵ１５自体が再セットの待機状態に移行する。
そして、原稿束２４が再セットされて、再セットされた状態を前記セット有無検出センサ２８が検出すると、ＭＰＵ１５の処理がステップ１１７に移行する。
【００７２】
ステップ１１７では、ＭＰＵ１５は、ページ情報付加コピーの実行指令待ち状態に移行する。
ユーザが、キー操作部１２を操作して、ページ情報付加コピーの実行指令を入力し、その実行指令の入力がＭＰＵ１５で検出されると、ＭＰＵ１５の処理はステップ１１８に移行する。
【００７３】
ステップ１１８では、「ページ情報付コピー工程」に関わる処理が実行される。
具体的には、ＭＰＵ１５がＡＤＦ３およびスキャナ２を制御して、ＡＤＦ３による原稿給送に連動して原稿画像の読取りを行わせる。同時に、ＭＰＵ１５は、プリンタ４および給紙カセット５を制御して、読取られた原稿データにページ情報を付加した合成画像データを作成させると共に、その合成画像を記録紙上に印刷させる。
ここで、合成画像データの作成は、ステップ１０３・１１５で設定されたページ情報の付加要件に基づいて、行われる。
また、この処理は、ＡＤＦ３にセットされた原稿束２４のすべての原稿２４ａに対して順次行われ、全原稿２４ａのページ情報付コピーが作成される。
【００７４】
そして、ステップ１１８の処理が終了すると、総ページ数印刷プログラム１００のフローが終了して、複合機１の制御が「総ページ数印刷モード」から解除される。
【００７５】
次に、再びステップ１０５に戻って説明する。
ステップ１０５で、否定（印刷確認の不実行）の設定がＭＰＵ１５で検出された場合は、ＭＰＵ１５の処理がステップ１０７に移行する。
【００７６】
このステップ１０７の処理は、ステップ１０６の処理と同様であり、ステップ１０１でセットされた原稿束２４の総ページ数を、ユーザが把握しているか否かを問合せる処理が、ＭＰＵ１５で実行される。
そして、肯定の回答（総ページ数を把握している）が入力されたことをＭＰＵ１５が検出すると、ＭＰＵ１５の処理がステップ１１９へ進む。また、否定の回答（総ページ数を把握していない）が入力されたことをＭＰＵ１５が検出すると、ＭＰＵ１５の処理がステップ１２０へ進む。
【００７７】
ステップ１１９では、総ページ数の手入力が行われる。
このステップ１１９の処理は、ステップ１０８の処理と同一である。
そして、総ページ数が、ユーザのキー操作部１２の操作により入力されて、その入力の終了をＭＰＵ１５が検出すると、ＭＰＵ１５の処理が、ページ情報付コピーの実行が開始されるステップ１１６に移行する。
【００７８】
一方、ステップ１２０では、「計数工程」に関わる処理が実行される。
このステップ１２０の処理は、ステップ１０８の処理において、「計数工程」に関わる部分のみの処理が実行された場合に相当する。
つまり、具体的には、ＡＤＦ３による原稿給送を利用して、原稿束２４のページ数の計数が実行される。そして、ステップ１０３でセットされた原稿束２４に対して、ＭＰＵ１５が、前記計数プログラム２６に基づいて、最後の原稿２４ａの計数を終了すると、その原稿束２４の総ページ数値Ｔが検出される。
【００７９】
次いで、ステップ１２１では、ステップ１２０で検出された原稿束２４の総ページ数値Ｔが、コピー画像に付与される総ページ数（ページ情報）として、設定され、ＭＰＵ１５の処理がステップ１１６へと進む。
ステップ１１６以降の処理については、前述したとおりである。
【００８０】
次に、図５を用いて、総ページ数印刷プログラム２００のフローを説明する。
ユーザは、ページ情報の付加されたコピーを作成するための原稿束２４（もしくは原稿２４ａ一枚）を、ＡＤＦ３にセットする（ステップ２０１）。
ＡＤＦ３への原稿束２４のセットの有無は、前記セット有無検出センサ２８により、ＭＰＵ１５で検出される。
そして、原稿束２４のセットがＭＰＵ１５で検出されると、ＭＰＵ１５は、コピーにページ情報を付加した印刷物を作成するか否かを、ユーザに問合せる（ステップ２０２）。
この問合せは、具体的には、ＭＰＵ１５が表示ディスプレイ１３上に、「ページ情報を付加しますか？」等の問合せの文言を表示させることにより、行われる。
【００８１】
ステップ２０２での問合せに対して、肯定（ページ情報の付加を実行）の回答がキー操作部１２の操作により入力された場合は、ＭＰＵ１５の処理がステップ２０３へ進む。また、否定（ページ情報の付加を行わない）がキー操作部１２の操作により入力された場合は、ＭＰＵ１５の処理がステップ２０４に進む。
否定の場合のステップ２０４は、原稿画像をそのままコピー画像として印刷してコピーを作成する通常のコピー処理である。これに対して、肯定の場合のステップ２０３以降の処理は、コピー画像にページ情報の付加された合成画像の印刷が実行される処理である。
【００８２】
ステップ２０３では、印刷フォーマットの設定が行われる。
ＭＰＵ１５による実際の処理としては、まず、ＭＰＵ１５が表示ディスプレイ１３上に、各種の設定入力の問合せの文言を表示させて、ユーザからの設定入力の待機状態に移行する。
ここで、各種の設定とは、大別して次の三つの処理に分類される。
第一には、Ａ４・Ｂ５等の記録紙サイズの選定や印刷倍率指定等の通常のコピー処理に関わる設定である。
第二には、コピー用の画像データにページ情報を付加する際に必要な条件（ページ情報の付加要件）の設定である。
第三には、印刷確認の有無設定である。
ここで、ページ情報の付加要件の設定と、印刷確認の有無設定とは、通常のコピーモードではなく、「総ページ数印刷モード」に特有の設定である。なお、通常のコピー処理に関わる設定は、詳述しないがステップ２０４にも含まれている。
【００８３】
ページ情報の付加要件には、前述したように、ページ数画像（ページ情報の画像データ）を印刷する印刷位置の特定と、ページ数画像の大きさ・デザインの特定と、がある。
また、印刷確認とは、前述したように、ページ情報の付与された合成画像の印刷物を試験的に一部のページで印刷を実施して、ページ情報の付加状態の適否をユーザに確認させることである。つまり、印刷確認の有無設定により、「試験印刷工程」の実施の有無が、設定される。
【００８４】
そして、前記各種の設定がユーザのキー操作部１２の操作により入力されて、前記設定入力の終了をＭＰＵ１５が検出すると、ＭＰＵ１５の処理がステップ２０５に移行する。
【００８５】
ステップ２０５では、ステップ２０１でセットされた原稿束２４の総ページ数を、ユーザが把握しているか否かを問合せる処理が、ＭＰＵ１５で実行される。
このステップ２０５の処理は、言い換えると、コピー画像に付与される総ページ数（ページ情報）を、ユーザが手入力で設定するか、複合機１で自動設定するか、を決定するための情報を、複合機１がユーザに要求する処理である。
具体的には、ＭＰＵ１５はまず、表示ディスプレイ１３上に、ユーザが総ページ数を把握しているか否かを問合せる文言を表示させる。この文言表示は、肯定か否定かの回答をユーザに要求するものである。次いで、その表示内容に対する回答がキー操作部１２を介して入力されるが、肯定の回答が入力されたことをＭＰＵ１５が検出すると、ＭＰＵ１５の処理がステップ２０６へ進む。また、否定の回答が入力されたことをＭＰＵ１５が検出すると、ＭＰＵ１５の処理がステップ２０７へと進む。
【００８６】
ステップ２０６では、総ページ数の手入力が行われる。
ＭＰＵ１５による実際の処理としては、まず、ＭＰＵ１５が表示ディスプレイ１３上に、総ページ数の入力を要求する文言を表示させると共に、ＭＰＵ１５自体がユーザからの総ページ数入力の待機状態に移行する。
そして、総ページ数が、ユーザのキー操作部１２の操作により入力されて、その入力の終了をＭＰＵ１５が検出すると、ＭＰＵ１５の処理がステップ２０９に移行する。
【００８７】
ステップ２０７では、「計数工程」に関わる処理が実行される。
具体的には、ＡＤＦ３による原稿給送を利用して、原稿束２４のページ数の計数が実行される。
ここで、ＭＰＵ１５による実際の処理としては、まず、ＭＰＵ１５が原稿給送機構３３に、セットされた原稿束２４から順次原稿２４ａを繰り出して給送するように指令する。この原稿給送に応じて、原稿２４ａが原稿検出センサ２２で検出される度に、ＭＰＵ１５は、前記計数プログラム２６に基づいて、原稿枚数の計数を一つ増加させる。この計数値Ｃは、各原稿２４ａのページ数に相当する。そして、（セットされた原稿束２４の中での）最後の原稿２４ａの計数が終了すると、その原稿束２４の総ページ数値Ｔが検出される。
【００８８】
次いで、ステップ２０８では、ステップ２０７で検出された原稿束２４の総ページ数値Ｔが、コピー画像に付与される総ページ数（ページ情報）として、設定され、ＭＰＵ１５の処理がステップ２０９へと進む。
【００８９】
ステップ２０９では、原稿束２４の再セットが行われる。
ＭＰＵ１５による実際の処理としては、まず、ＭＰＵ１５が表示ディスプレイ１３上に、原稿をＡＤＦ３に再セットするように要求する文言を表示させると共に、ＭＰＵ１５自体が再セットの待機状態に移行する。
そして、原稿束２４が再セットされて、再セットされた状態を前記セット有無検出センサ２８が検出すると、ＭＰＵ１５の処理がステップ２１０に移行する。
【００９０】
ステップ２１０では、ステップ２０３における印刷確認の有無設定で、印刷確認の実行が設定されたか否かが、ＭＰＵ１５で検出される。
否定（印刷確認の不実行）の設定が検出された場合は、ステップ２１１へとＭＰＵ１５の処理が進み、肯定（印刷確認の実行）の設定が検出された場合は、ステップ２１２へＭＰＵ１５の処理が進む。
【００９１】
ステップ２１１では、ＭＰＵ１５は、ページ情報付加コピーの実行指令待ち状態に移行する。
ユーザが、キー操作部１２を操作して、ページ情報付加コピーの実行指令を入力し、その実行指令の入力がＭＰＵ１５で検出されると、ＭＰＵ１５の処理はステップ２１３に移行する。
【００９２】
ステップ２１３では、「ページ情報付コピー工程」に関わる処理が実行される。
具体的には、ＭＰＵ１５がＡＤＦ３およびスキャナ２を制御して、ＡＤＦ３による原稿給送に連動して原稿画像の読取りを行わせる。同時に、ＭＰＵ１５は、プリンタ４および給紙カセット５を制御して、読取られた原稿データにページ情報を付加した合成画像データを作成させると共に、その合成画像を記録紙上に印刷させる。
ここで、合成画像データの作成は、ステップ２０３で設定されたページ情報の付加要件に基づいて、行われる。
また、この処理は、ＡＤＦ３にセットされた原稿束２４のすべての原稿２４ａに対して順次行われ、全原稿２４ａのページ情報付コピーが作成される。
【００９３】
そして、ステップ２１３の処理が終了すると、総ページ数印刷プログラム２００のフローが終了して、複合機１の制御が「総ページ数印刷モード」から解除される。
【００９４】
一方、ステップ２１２以降の処理は、ステップ２１０で、肯定（印刷確認の実行）の設定がＭＰＵ１５で検出された場合に実行されるものである。
このステップ２１２以降の一連処理では、ステップ２１３における「ページ情報付コピー工程」に関わる処理に加えて、その処理の一部を利用して、「試験印刷工程」に関わる処理も同時に実行される。また、「試験印刷工程」の処理の結果に基づいて、「ページ情報付コピー工程」の実行を継続させるか、実行を中止して再実行させるか、を判定する「待機工程」も設けられている。
【００９５】
まず、ステップ２１２では、ＭＰＵ１５は、ページ情報付加コピーの実行指令待ち状態に移行する。
ユーザが、キー操作部１２を操作して、ページ情報付加コピーの実行指令を入力し、その実行指令の入力がＭＰＵ１５で検出されると、ＭＰＵ１５の処理はステップ２１４に移行する。
【００９６】
ステップ２１４・２１５および後述のステップ２１８において、セットされた原稿束２４の全原稿２４ａに対してページ情報付加コピーが実行されるが、ステップ２１４では、このページ情報付加コピー群の一部を、ユーザへの確認用サンプルとしても活用する。
ユーザへの確認用サンプルとは、前述と同じく、ページ情報付コピーにおけるページ情報の付加状態をユーザに確認させるためのページ情報付コピーのことを意味する。なお、今回（総ページ数印刷プログラム２００）の場合は、この確認用サンプルは、問題がなければ、そのまま正式なページ情報付加コピーとして利用される。
本実施の形態では、原稿束２４の最上の一枚を読取って作成されたページ情報付コピーが、確認用サンプルとして活用される。
【００９７】
ステップ２１４・２１５では、「試験印刷工程」に関わる処理が実行される。
ステップ２１４では、ＭＰＵ１５は、ＡＤＦ３およびスキャナ２を制御して、ＡＤＦ３による原稿給送に連動して、第一ページの原稿２４ａの読取りを行わせる。
次いで、ステップ２１５では、ＭＰＵ１５は、プリンタ４および給紙カセット５を制御して、読取られた原稿データにページ情報を付加した合成画像データを作成させると共に、その合成画像を記録紙上に印刷させる。そして、第一ページの原稿２４ａのページ情報付加コピーが作成される。
ここで、合成画像データの作成は、ステップ２０３（もしくは後述のステップ２１８）で設定されたページ情報の付加要件に基づいて、行われる。
なお、ステップ２０７において、ページ情報に関わる総ページ数値Ｔが、ＭＰＵ１５に検出されている。
【００９８】
ステップ２１６では、「報知工程」に関わる処理が実行される。
「報知工程」は、「試験印刷工程」（ステップ２１４・２１５）で作成されたページ情報の付加状態の適否をユーザに確認させるために、ユーザに報知を行う工程である。
ＭＰＵ１５による実際の処理としては、ＭＰＵ１５が、報知プログラム３２に従って、報知手段としての表示ディスプレイ１３上に、ページ情報の付加状態の適否を問合せる内容の表示を出力させるものである。この文言の一例としては、前述したように、「ページ数の印刷位置は適切でしょうか？」等である。
そして、ステップ２１６の処理が終了すると、ＭＰＵ１５の処理はステップ２１７に移行する。
【００９９】
ステップ２１４で作成された印刷物は、確認用サンプルとしても活用されるものであり、「報知工程」であるステップ２１６で、ユーザは、確認用サンプルの適否の確認が求められるものとなっている。
この確認により、確認用サンプルでもある原稿２４ａの一部（第一ページの原稿）におけるページ情報の付加状態に問題がなければ、ページ情報付コピー工程の実行継続を複合機１に指令して、そのまま残りの原稿（第二ページ以降の原稿）のページ情報付コピーを作成することが望ましい。一方、確認用サンプルでもある原稿２４ａに不具合があれば、印刷フォーマットの再設定を行ってから後に、セットされた原稿束２４のページ情報付コピーの作成をやり直した方がよい。
【０１００】
ステップ２１７では、「待機工程」に関わる処理が実行される。
「待機工程」では、確認用サンプルとしてのページ情報付コピーが作成された後に、ページ情報付コピー工程の実行継続もしくは再実行の入力指令を待機する処理が行われるものである。
ＭＰＵ１５による実際の処理としては、まず、ＭＰＵ１５は、表示ディスプレイ１３上に、実行継続か再実行かの問合せの文言を表示させて、ユーザからの指令入力の待機状態に移行する。この部分の処理が、「待機工程」の処理である。ここで、ユーザ側に要求される操作入力としては、肯定（適当である）、もしくは否定（不適当である）の二択の選択入力である。
次いで、ユーザからの指令入力に基づいて、ＭＰＵ１５の処理が、「待機工程」の処理から後続の処理へ移行する。そして、肯定の回答がキー操作部１２より入力されると、ＭＰＵ１５の処理がステップ２１８へと進み、否定の回答がキー操作部１２より入力されると、ＭＰＵ１５の処理がステップ２１９へと進む。
【０１０１】
ステップ２１９では、印刷フォーマットの再設定が行われる。
ＭＰＵ１５による実際の処理としては、まず、ＭＰＵ１５が表示ディスプレイ１３上に、各種の設定入力の問合せの文言を表示させて、ユーザからの設定入力の待機状態に移行する。
この印刷フォーマットの再設定は、ユーザが、サンプルとしてのページ情報付コピーを見て、不具合のある場合に行われるものであり、その不具合が改善されるように適切な設定変更が行われることを目的としている。
ユーザは、ページ情報の付加要件の設定を変更したり（ページ情報の印刷位置の変更等）、通常のコピー処理に関わる設定を変更する（原稿画像の印刷倍率の縮小等）ことで、ページ情報付コピーにおけるページ数情報の付加状態を改善する。
【０１０２】
ステップ２１９の設定入力が終了すると、ステップ２１５に戻り、再びサンプルプリントを行う。
そして、ステップ２１７で肯定（適当である）の回答（操作入力）が得られるまで、ＭＰＵ１５は、ステップ２１５・２１６・２１７・２１９の処理を繰り返し実行する。
そして、ステップ２１７で肯定（適当である）の回答（操作入力）が得られると、ステップ２１８に進む。
【０１０３】
ステップ２１８では、ステップ２１４・２１５で印刷されなかった残りの原稿（原稿束２４中で二枚目以降の各原稿２４ａ）について、「ページ情報付コピー工程」に関わる処理が実行される。
具体的には、ＭＰＵ１５がＡＤＦ３およびスキャナ２を制御して、ＡＤＦ３による原稿給送に連動して原稿画像の読取りを行わせる。同時に、ＭＰＵ１５は、プリンタ４および給紙カセット５を制御して、読取られた原稿データにページ情報を付加した合成画像データを作成させると共に、その合成画像を記録紙上に印刷させる。
ここで、合成画像データの作成は、ステップ２０３・２１９で設定されたページ情報の付加要件に基づいて、行われる。
また、この処理は、ＡＤＦ３にセットされた原稿束２４のうち、ステップ２１４・２１５で作成された原稿を除くすべての原稿２４ａに対して順次行われ、全原稿２４ａのページ情報付コピーが作成される。
【０１０４】
そして、ステップ２１８の処理が終了すると、総ページ数印刷プログラム２００のフローが終了して、複合機１の制御が「総ページ数印刷モード」から解除される。
【０１０５】
以上で説明した総ページ数印刷プログラム１００・２００についてまとめる。
この総ページ数印刷プログラム１００・２００は、ＡＤＦ（自動原稿給送装置）３によって搬送される原稿の読取りを行う画像読取手段（スキャナ２）と、ＡＤＦ３内を搬送された原稿枚数を計数する計数手段と、画像データを印刷する画像形成手段（プリンタ４）と、を備える画像形成装置（複合機１）に適用されるプログラムである。
ここで、原稿枚数の計数手段は、原稿検出センサ２２、ＭＰＵ１５、計数プログラム２６からなっている。
【０１０６】
総ページ数印刷プログラム１００・２００は、それぞれ、以上のような構成の画像形成装置に適用される印刷方法の実施の形態である。
そして、総ページ数印刷プログラム１００・２００は、ページ情報付コピーを作成する処理工程として、原稿枚数の計数工程と、ページ情報付コピー工程と、を備えている。
計数工程では、総ページ数印刷プログラム１００・２００に基づいて、ＭＰＵ１５は、ＡＤＦ３による原稿給送の一回目に、スキャナ２による画像読取りを行うことなしに、ＡＤＦ３にセットされた原稿束の総ページ数の計数を実行させる。本実施の形態では、図４のステップ１０９・１２０、図５のステップ２０７が、計数工程に相当する処理である。
ページ情報付コピー工程では、総ページ数印刷プログラム１００・２００に基づいて、ＭＰＵ１５は、ＡＤＦ３による原稿給送の二回目に、ＡＤＦ３に再セットされた原稿をスキャナ２により読取りつつ、総ページ数を含むページ情報を、読取り画像のコピーに付加して、記録紙上に印刷させる。本実施の形態では、図４のステップ１１８、図５のステップ２１３・２１８が、ページ情報付コピー工程に相当する処理である。
【０１０７】
このため、ＡＤＦ３による原稿枚数の計数と、画像読取手段での原稿読み取りとが、独立した処理として実行される。
したがって、ページ情報付コピーを作成する際に、画像メモリでメモリオーバーが発生することがない。加えて、原稿枚数の計数は、ＡＤＦ３において自動的に行われるので、ユーザが原稿枚数を計数する必要がなく、ユーザは煩雑な作業を強いられることがない。
【０１０８】
特に、総ページ数印刷プログラム１００には、ページ情報付コピーを作成する処理工程に、次のような特徴点がある。
まず、計数工程において、原稿の一部の試験用ページの画像読取りが行われる。
また、計数工程と同時もしくはそれ以降でページ情報付コピー工程の前に、次の二つの工程が設けられている。
一つは、総ページ数を含むページ情報を、前記試験用ページの読取り画像のコピーに付加して、記録紙上に印刷する試験印刷工程である。
本実施の形態では、図４のステップ１１０・１１１の一連処理と、ステップ１０９・１１２・１１１の一連処理が、試験印刷工程に相当する処理である。この試験用ページとしては、原稿束２４の最上に位置する第一ページの原稿２４ａとしている。
もう一つは、試験印刷工程で作成された印刷物上での前記ページ情報の付加状態の適否をユーザに確認させるための報知を行う報知工程である。
本実施の形態では、図４のステップ１１３が、報知工程に相当する処理である。
【０１０９】
このため、ページ情報付コピーにおけるページ情報の付加状態が、複数原稿のコピーが実際に行われる際に、ユーザにより確認可能な状態とされる。
したがって、複数枚数のミスコピーを未然に防止することが出来る。
【０１１０】
また、特に、総ページ数印刷プログラム２００には、ページ情報付コピーを作成する処理工程に、次のような特徴点がある。
ページ情報付コピー工程内に、報知工程と、待機工程とが備えられている。
報知工程は、ページ情報付コピー工程の実行を中断して、作成された印刷物上での前記ページ情報の付加状態の適否をユーザに確認させるための報知を行う工程である。
本実施の形態では、ページ情報付コピー工程で、原稿束２４の第一ページのページ情報付コピーを実行した段階で、ページ情報付コピー工程の実行が一旦中止される。そして、この第一ページのページ情報付コピーを、確認用のサンプルとして活用すべく、このページのページ情報の付加状態の適否をユーザに確認させるための報知が行われる。図５のステップ２１６の処理が報知工程に相当し、この報知工程を挟んで、ステップ２１４・２１５における第一ページのページ情報付コピーと、ステップ２１８における第二ページ以降のページ情報付コピーとが、分断されている。
また、待機工程は、ページ情報付コピー工程の実行継続もしくは再実行の入力指令を待機する工程である。
本実施の形態では、ステップ２１７の処理に相当し、ステップ２１７で肯定の回答（印刷状態は適当である）が得られた場合は、ステップ２１８（ページ情報付コピー工程の実行継続）に処理が進み、ステップ２１７で否定の回答（印刷状態は不適当である）が得られた場合は、ステップ２１９（ページ情報付コピー工程の再実行）に処理が進む。
【０１１１】
このため、ページ情報付コピーにおけるページ情報の付加状態が、複数原稿のコピーが実行中に、ユーザにより確認可能な状態とされる。
したがって、複数枚数のミスコピーを未然に防止することが出来る。
【０１１２】
複合機１には、前記各工程の処理を担当する手段を、ＭＰＵ１５、ＲＯＭ１６、ＲＡＭ１７等からなる複合機１の制御機構が担当している。
ＭＰＵ１５は、ＲＯＭ１６内に記憶される総ページ数印刷プログラム１００・２００に基づいて、複合機１を構成する各手段を制御する。そして、総ページ数印刷プログラム１００・２００に基づく処理が実行される。
【０１１３】
ＭＰＵ１５は、総ページ数印刷プログラム１００・２００に基づいて、第一に、ＡＤＦ３による原稿給送の一回目に、前記スキャナ２による読取りを行うことなしに、ＡＤＦ３に再セットされた原稿束２４の総ページ数を計数するように計数手段を制御する。
また、ＭＰＵ１５は、総ページ数印刷プログラム１００・２００に基づいて、ＡＤＦ３による原稿給送の二回目に、ＡＤＦ３にセットされた原稿をスキャナ２により読取りつつ、総ページ数を含むページ情報を、読取り画像のコピーに付加して、記録紙上に印刷するようにスキャナ２およびプリンタ４を制御する。
【０１１４】
このため、ＡＤＦ３による原稿枚数の計数と、画像読取手段での原稿読み取りとが、独立した処理として実行される。
したがって、ページ情報付コピーを作成する際に、画像メモリでメモリオーバーが発生することがない。加えて、原稿枚数の計数は、ＡＤＦ３において自動的に行われるので、ユーザが原稿枚数を計数する必要がなく、ユーザは煩雑な作業を強いられることがない。
【図面の簡単な説明】
【０１１５】
【図１】複合機１の構成を示すブロック図である。
【図２】ＡＤＦ３の構成を示す概略図である。
【図３】ページ情報付コピーの一サンプルを示す図である。
【図４】総ページ数印刷プログラム１００のフロー図である。
【図５】総ページ数印刷プログラム２００のフロー図である。
【符号の説明】
【０１１６】
１    複合機
２    スキャナ
３    ＡＤＦ
４    プリンタ
１３    表示ディスプレイ
１５    ＭＰＵ
２６    計数プログラム
２８    セット有無検出センサ
１００    総ページ数印刷プログラム
２００    総ページ数印刷プログラム
Ｃ    計数値
Ｔ    総ページ数値
【図１】
2005181609.tif 000003
【図２】
2005181609.tif 000004
【図３】
2005181609.tif 000005
【図４】
2005181609.tif 000006
【図５】
2005181609.tif 000007